(57)【要約】【課題】  カメラの作動頻度や消費電力の増大を防止しつつ、ユーザーの顔の向きの変化に応じて、画面表示部の表示画像の向きを自動制御する。【解決手段】  表示制御装置１は、カメラ作動指示部２と、画面制御部３を備える。カメラ作動指示部２は、制御対象の画面表示部の傾きを知らせる傾き検知信号が加えられたときに、前記画面表示部に面する所定の領域を撮影するカメラに向けて作動指示信号を出力する機能を備える。画面制御部３は、前記作動指示信号を受けて前記カメラで撮影された顔画像の所定の検知方向に応じて、前記画面表示部に表示する画像の向きを制御する機能を備えている。【選択図】      図１
2011138449.tif 000002
【特許請求の範囲】
【請求項１】
制御対象の画面表示部の傾きを知らせる傾き検知信号が加えられたときに、前記画面表示部に面する所定の領域を撮影するカメラに向けて作動指示信号を出力するカメラ作動指示部と、
前記作動指示信号を受けて前記カメラで撮影された顔画像の所定の検知方向に応じて、前記画面表示部に表示する画像の向きを制御する画面制御部と、
を備えている表示制御装置。
【請求項２】
前記カメラ作動指示部は、さらに、電源投入信号が加えられた場合と、休止状態解除信号が加えられた場合とのうちの少なくとも一方の場合にも、前記カメラに向けて前記作動指示信号を出力する請求項１記載の表示制御装置。
【請求項３】
さらに、前記カメラで撮影された顔画像を画像処理して、前記顔画像の前記検知方向を解析する画像処理部を備えている請求項１又は請求項２記載の表示制御装置。
【請求項４】
前記画像処理部は、さらに、前記作動指示信号を受けて前記カメラで撮影された画像中に顔画像が有るか否かを判断し、顔画像が無いと判断した場合に顔画像無し信号を出力する機能を備え、
前記カメラ作動指示部は、さらに、前記顔画像無し信号を受けた場合には、所定のタイミングで、前記作動指示信号を再度出力する機能を備えている請求項３記載の表示制御装置。
【請求項５】
前記画面制御部は、さらに、前記作動指示信号に基づいた前記カメラの動作中には、前記カメラの動作に関する所定の表示画面の表示を阻止する機能を備えている請求項１乃至請求項４の何れか一つに記載の表示制御装置。
【請求項６】
請求項１乃至請求項５の何れか一つに記載の表示制御装置と、
画像を表示する画面表示部と、
を備えている表示装置。
【請求項７】
請求項６記載の表示装置と、
前記表示装置に備えられている画面表示部に面する所定の領域を撮影するカメラと、
前記画面表示部の傾きを検知したときに傾き検知信号を前記表示装置に備えられている表示制御装置に出力する傾き検知手段と、
を備えている電子装置。
【請求項８】
制御対象の画面表示部の傾きを知らせる傾き検知信号が加えられたときに、前記画面表示部に面する所定の領域を撮影するカメラに向けて作動指示信号を出力し、
前記作動指示信号を受けて前記カメラで撮影された顔画像の所定の検知方向に応じて、前記画面表示部に表示する画像の向きを制御する表示制御方法。
【請求項９】
さらに、電源投入信号が加えられた場合と、休止状態解除信号が加えられた場合とのうちの少なくとも一方の場合にも、前記カメラに向けて前記作動指示信号を出力する請求項８記載の表示制御方法。
【発明の詳細な説明】
【技術分野】
【０００１】
本発明は、画面表示を制御する表示制御装置および電子装置および表示制御方法に関するものである。
【背景技術】
【０００２】
例えば、携帯電話機等の携帯端末装置は、その向きを容易に変えることができる。このため、携帯端末装置に備えられている画面表示部の縦方向（又は横方向）と、その画面表示部を見ているユーザーの顔の上下方向との関係（画面表示部とユーザーの向きの関係）が変化することがある。そのように画面表示部とユーザーの向きの関係が変化したのにも拘わらず画面表示部の表示画像の向きが変わらないと、ユーザーにとっては、その表示画像は見難いものとなる。そこで、特許文献１では、携帯端末装置において、次のような表示画像の切り替えを行っている。
【０００３】
すなわち、特許文献１では、画面表示部（表示部）と同じ側に設けられたカメラで、その画面表示部を見ているユーザーの顔を、所定時間毎に、撮影する。そして、この撮影により得られた顔画像データの画像処理によって、目や鼻や口等を抽出し、ユーザーの顔画像の上下方向を判断する。さらに、その判断した顔画像の上下方向と、画面表示部に表示されている文字等の上下方向とが一致するように、画面表示部の表示画像の向きを制御する。このように、画面表示部の表示画像の向きを制御することによって、画面表示部とユーザーの向きの関係が変化しても、ユーザーにとって見やすい向きの表示画像が画面表示部に表示されるというものである。
【先行技術文献】
【特許文献】
【０００４】
【特許文献１】特開２００８−１７７８１９号公報
【特許文献２】特開２００７−８９１８３号公報
【発明の概要】
【発明が解決しようとする課題】
【０００５】
しかしながら、特許文献１に示されている表示制御手法では、所定時間毎に、カメラでユーザーの顔を撮影している。つまり、携帯端末装置とユーザーの向きの関係が長い時間に亘って変化しておらず、画面表示部の表示画像の向きの変更を行わなくて済む場合であっても、定期的に、カメラでユーザーの顔の撮影が行われる。このため、カメラを頻繁に作動させなければならないという問題や、そのようなカメラ作動等に起因した消費電力増大の問題等がある。
【０００６】
本発明は上記課題を解決するためになされたものである。すなわち、本発明の目的は、カメラの作動頻度やカメラ動作時間や消費電力の増大を防止しつつ、画面表示部に対するユーザーの向きの変化に応じて、画面表示部の表示画像の向きを自動制御できる表示制御装置等を提供することにある。
【課題を解決するための手段】
【０００７】
本発明の表示制御装置は、
制御対象の画面表示部の傾きを知らせる傾き検知信号が加えられたときに、前記画面表示部に面する所定の領域を撮影するカメラに向けて作動指示信号を出力するカメラ作動指示部と、
前記作動指示信号を受けて前記カメラで撮影された顔画像の所定の検知方向に応じて、前記画面表示部に表示する画像の向きを制御する画面制御部と、
を備えている。
【０００８】
本発明の表示装置は、
上記表示制御装置と、
画像を表示する画面表示部と、
を備えている。
【０００９】
本発明の電子装置は、
上記表示装置と、
上記表示装置に備えられている画面表示部に面する所定の領域を撮影するカメラと、
前記画面表示部の傾きを検知したときに傾き検知信号を上記表示装置に備えられている表示制御装置に出力する傾き検知手段と、
を備えている。
【００１０】
本発明の表示制御方法は、
制御対象の画面表示部の傾きを知らせる傾き検知信号が加えられたときに、前記画面表示部に面する所定の領域を撮影するカメラに向けて作動指示信号を出力し、
前記作動指示信号を受けて前記カメラで撮影された顔画像の所定の検知方向に応じて、前記画面表示部に表示する画像の向きを制御する。
【発明の効果】
【００１１】
本発明によれば、カメラの作動頻度やカメラ動作時間や消費電力の増大を防止しつつ、画面表示部に対するユーザーの顔の向きの変化に応じて、画面表示部の表示画像の向きを自動制御できる。
【図面の簡単な説明】
【００１２】
【図１】第１実施形態を説明するための図である。
【図２】第２実施形態を説明するためのブロック図である。
【図３】電子装置に設けられる画面表示部とカメラの配置例を示すモデル図である。
【図４】電子装置とユーザーの向き合っている状態と、当該状態のときのカメラの撮影画像例を表した図である。
【図５】電子装置とユーザーの向き合っている上記とは異なる状態と、当該状態のときのカメラの撮影画像例を表した図である。
【図６】電子装置とユーザーの向き合っているさらに上記とは異なる状態と、当該状態のときのカメラの撮影画像例を表した図である。
【図７】電子装置とユーザーの向き合っているさらにまた上記とは異なる状態と、当該状態のときのカメラの撮影画像例を表した図である。
【図８】画面表示部に表示される画像の向きの制御例を表した図である。
【図９】第２実施形態における表示制御動作例を説明するためのフローチャート図である。
【発明を実施するための形態】
【００１３】
以下に、本発明に係る実施形態を図面に基づいて説明する。
【００１４】
（第１実施形態）
図１（ａ）に示されるように、この第１実施形態の表示制御装置１は、カメラ作動指示部２と、画面制御部３とを備えている。カメラ作動指示部２は、制御対象の画面表示部の傾きを知らせる傾き検知信号が加えられたときに、前記画面表示部に面する所定の領域を撮影するカメラに向けて作動指示信号を出力する機能を備えている。画面制御部３は、前記作動指示信号を受けて前記カメラで撮影された顔画像の所定の検知方向に応じて、前記画面表示部に表示する画像の向きを制御する機能を備えている。
【００１５】
このような表示制御装置１は、次のような表示制御動作を行う。すなわち、傾き検知信号が加えられたときに（図１（ｂ）のステップＳ１）、制御対象の画面表示部に面する所定の領域を撮影するカメラに向けて作動指示信号を出力する（ステップＳ２）。
【００１６】
その後、前記作動指示信号を受けて前記カメラで撮影された顔画像の所定の検知方向に応じて、前記画面表示部に表示する画像の向きを制御する（ステップＳ３）。
【００１７】
この第１実施形態の表示制御装置１では、上記のように、カメラの撮影画像から得られる顔画像の検知方向に応じて画面表示部の表示画像の向きを制御している。つまり、画面表示部に対するユーザーの向きをカメラの撮影画像から検知して、画面表示部の表示画像の向きを制御している。このため、画面表示部に対するユーザーの向きが変化しても、その向きの変化に応じて画面表示部の表示画面の向きが自動的に変わるので、ユーザーは違和感なく表示画面を見続けることができる。
【００１８】
しかも、この第１実施形態では、画面表示部に画面が表示されている期間中に、定期的にカメラに撮影動作を行わせて顔画像を監視するのではなく、傾き検知信号が加えられたときに、カメラを作動させて顔画像を撮影させている。つまり、画面表示部に対するユーザーの向きが変化する場合には、画面表示部を備えている装置の傾きが変化すると想定し、このときに、ポイント的にカメラを駆動している。これにより、画面表示部に対するユーザーの向きの変化を逃すことなく、画面表示部に対するユーザーの顔の向きを検知するためのカメラの動作時間や作動頻度を大幅に低減できる。また、そのように、カメラの動作時間を低減できるので、消費電力の増大を抑制できる。
【００１９】
この第１実施形態の表示制御装置１は、例えば図１（ｃ）に示されるように、画像を表示する画面表示部６と共に、表示装置５を構成することができる。また、その表示装置５は、図１（ｄ）に示されるように、電子装置８を構成することができる。その電子装置８は、その表示装置５を含むと共に、カメラ１０と傾き検知手段１１を含んでいる。カメラ１０は、画面表示部６に面する所定の領域を撮影する機能を備えている。傾き検知手段１１は、電子装置８の傾きを検知したときに傾き検知信号を表示装置５に備えられている表示制御装置１に出力する機能を備えている。
【００２０】
上記のような表示装置５や電子装置８は、この第１実施形態の表示制御装置１を含んでいることから、上記したように、画面表示部６に対するユーザーの向きが変化した場合に、その変化に応じて画面表示部６の表示画像の向きを自動的に変化させることができる。その上、画面表示部６に対するユーザーの向きの変化を逃すことなく、カメラ１０の動作時間および消費電力の増大を防止することができるという効果を得ることができる。
【００２１】
（第２実施形態）
以下に、第２実施形態を説明する。
【００２２】
第２実施形態の電子装置は、例えば携帯電話機や携帯情報端末装置等の携帯端末装置である。図２に示されるように、この第２実施形態の携帯端末装置２０は、表示装置２１と、カメラ２２と、傾き検知手段２３とを備えている。
【００２３】
表示装置２１は、画面表示部２５と、表示制御装置２６とを備えている。その表示制御装置２６は、画像処理部２８と、カメラ作動指示部２９と、画面制御部３０とを備えている。
【００２４】
すなわち、画面表示部２５は、画像を表示する機能を持つ例えば液晶ディスプレイ等により構成されるものであり、例えば、図３に示されるように携帯端末装置２０の一つの主面に設けられる。この画面表示部２５に表示される画像の例を挙げると、例えば、電話発着信等の電話機能に関わる情報の画像や、電子メール機能のメール内容の画像や、インターネット閲覧情報の画像や、テレビ映像の画像等がある。さらに、画面表示部２５に表示される画像の例として、カメラ２２のプレビュー画像や、写真の画像等もある。
【００２５】
カメラ２２は、図３に示されるように、情報端末装置２０において、画面表示部２５が設けられている側と同じ側に設けられている。このカメラ２２は、画面表示部２５に面する所定の領域を撮影する機能を持つ。具体的に述べれば、このカメラ２２は、画面表示部２５の画面を見ている人（ユーザー）の顔を撮影することができる機能を持っている。さらに、カメラ２２は、カメラ作動指示部２９から作動指示信号が加えられた場合には、上記所定の領域を例えばオートフォーカス技術を利用して自動撮影する機能を備えている。
【００２６】
傾き検知手段２３は、携帯端末装置２０の姿勢の変化（換言すれば、画面表示部２５の傾き）を検知する機能を備えたものであり、例えば傾き検知センサとしてのジャイロ等のセンサを含んでいる。この傾き検知手段２３は、その傾き検知センサの出力値が所定値以上変動した場合に、携帯端末装置２０の姿勢が変化した（画面表示部２５が傾いた）として、傾き検知信号を表示制御装置２６に向けて出力する機能を備えている。なお、その傾き検知信号の出力は、携帯端末装置２０が通常動作を行っている場合に行われ、休止状態（スリープ状態）のときには行わないものとする。
【００２７】
表示制御装置２６のカメラ作動指示部２９は、傾き検知信号が出力されたことを検知すると、カメラ２２を駆動させるためにカメラ２２に向けて作動指示信号を出力する機能を備えている。さらに、カメラ作動指示部２９は、情報端末装置２０の電源が投入されたときに電源投入信号が加えられたとし、この場合にも、カメラ２２に向けて作動指示信号を出力する機能を備えている。さらに、カメラ作動指示部２９は、情報端末装置２０が休止状態（スリープ状態）から通常状態に移行する休止状態解除信号が例えば情報端末装置２０の制御部（図示せず）から加えられた場合にも、カメラ２２に作動指示信号を出力する機能を備えている。さらに、カメラ作動指示部２９は、上記のように作動指示信号を出力したことを知らせるためのカメラ作動通知信号を画像処理部２８および画面制御部３０に出力する機能を備えている。
【００２８】
画像処理部２８は、カメラ作動通知信号が出力されたことを検知すると、カメラ２２により撮影された画像を取り込んで、当該撮影画像を次のように画像処理する機能を備えている。その画像処理とは、例えばエッジ検出処理手法等により、取り込んだ撮影画像の輪郭を抽出する処理である。さらに、画像処理部２８は、その抽出された輪郭情報と、予め与えられている顔の輪郭パターン情報とに基づいて、撮影画像中に顔画像が有るか否かを判断する機能を備えている。さらに、画像処理部２８は、撮影画像中に顔画像が無いと判断した場合には、顔画像無し信号を画面制御部３０に出力する機能を備えている。
【００２９】
さらに、画像処理部２８は、撮影画像中に顔画像が有ると判断した場合には、続いて、その顔画像の所定の検知方向を解析する機能を備えている。この第２実施形態では、画像処理部２８は、例えば、前記したように抽出した輪郭情報と、予め与えられている目や鼻や口等の顔のパーツの配置情報とに基づいて、顎から鼻を通って額に向かう顔の上向き方向を検知方向として算出する。
【００３０】
例えば、図４（ａ）に示すように、情報端末装置２０を縦向き（カメラ２２が上側）にして、ユーザー３３が画面表示部２５の表示画面を見ているときに、カメラ２２により撮影されたユーザー３３の顔画像を含む画像が、例えば、図４（ｂ）に示すようなものであったとする。この場合、画像処理部２８により、その撮影画像３４における顔画像３３’の上向き方向（検知方向）は、図４（ｂ）に示される点線Ｌに沿う矢印方向であると解析される。
【００３１】
また、図５（ａ）に示すように、情報端末装置２０を横向き（カメラ２２が右側）にして、ユーザー３３が画面表示部２５の表示画面を見ているときに、カメラ２２により撮影されたユーザー３３の顔画像を含む画像が、例えば、図５（ｂ）に示すようなものであるとする。この場合、画像処理部２８により、その撮影画像３５における顔画像３３’の上向き方向（検知方向）は、図５（ｂ）に示される点線Ｌに沿う矢印方向であると解析される。さらに、ユーザー３３に対して情報端末装置２０が、図６（ａ）のように縦向き（カメラ２２が下側）の場合にも、図７（ａ）のように横向き（カメラ２２が左側）の場合にも、上記同様に、顔画像３３’の上向き方向Ｌが解析される。
【００３２】
画像処理部２８は、さらに、上記のような解析により得た検知方向の情報を画面制御部３０に出力する機能を備えている。例えば、撮影画像３４，３５，３６，３７の所定の上向き方向Ｕに対する検知方向Ｌの傾き角度情報が、顔画像の検知方向の情報として画面制御部３０に出力される。つまり、顔画像の検知方向の情報として、図４（ｂ）の場合には０°が、図５（ｂ）の場合には−９０°が、図６（ｂ）の場合には１８０°が、図７（ｂ）の場合には９０°が、それぞれ、画像処理部２８から画面制御部３０に出力される。
【００３３】
画面制御部３０は、カメラ２２の動作中に、そのカメラ２２で撮影されるプレビュー画像を画面表示部２５に表示させるプレビュー表示機能を備えている。これに対し、画面制御部３０は、カメラ作動指示部２９からカメラ作動通知信号を受け取った場合には、前記作動指示信号に基づいたカメラ２２の動作中には、プレビュー表示機能を阻止する（キャンセルする）機能を備えている。この機能により、作動指示信号に基づいてカメラ２２が作動しても、画面表示部２５の表示画面がカメラ２２のプレビュー画像に切り換わらないので、ユーザー３３にカメラ２２の作動を気付かせずに済む。
【００３４】
さらに、画面制御部３０は、画像処理部２８から顔画像の検知方向の情報を受け取ると、顔画像の検知方向（上向き方向）に応じて、画面表示部２５に表示する画像の向きを制御する機能を備えている。つまり、画面制御部３０は、画面表示部２５に表示されている画像の上向き方向が顔画像の上向き方向に一致する方向に、画面表示部２５の表示画像の向きを回転変化させる。具体的には、例えば、画面表示部２５に、図８（ａ）に示されるような画像が表示されている場合に、画像処理部２８から画面制御部３０に、顔画像の検知方向の情報が加えられたとする。この場合には、顔画像の上向き方向Ｌが図４（ｂ）の場合（０°方向の場合）であるとすると、画面表示部２５の表示画像の上向き方向Ｔも０°方向なので、画面制御部３０は、表示画像の向きを変化させず、そのままの向きでの表示を継続させる。顔画像の上向き方向Ｌが図５（ｂ）の場合（−９０°方向の場合）であるとすると、画面表示部２５の表示画像の上向き方向Ｔを−９０°方向に向くように、画面制御部３０は、図８（ｂ）の如く表示画像を回転変化させる。顔画像の上向き方向Ｌが図６（ｂ）の場合（１８０°方向の場合）であるとすると、画面表示部２５の表示画像の上向き方向Ｔを１８０°方向に向くように、画面制御部３０は、図８（ｃ）の如く表示画像を回転変化（上下反転）させる。顔画像の上向き方向Ｌが図７（ｂ）の場合（９０°方向の場合）であるとすると、画面表示部２５の表示画像の上向き方向Ｔを９０°方向に向くように、画面制御部３０は、図８（ｄ）の如く表示画像を回転変化させる。
【００３５】
この第２実施形態の携帯端末装置２０は上記のように構成されている。次に、この第２実施形態の携帯端末装置２０における表示制御装置２６の表示制御動作の一例を図９のフローチャートを利用して説明する。
【００３６】
例えば、カメラ作動指示部２９は、傾き検知信号と電源投入信号と休止状態解除信号の何れかの信号（開始信号）の入力を検知すると（ステップＳ１０１）、カメラ２２に向けて作動指示信号を出力する（ステップＳ１０２）。このとき、カメラ作動指示部２９は、カメラ作動通知信号を画像処理部２８および画面制御部３０に出力する。その後、画像処理部２８は、前記作動指示信号に応じたカメラ２２の撮影動作によって撮影された画像を取り込む（ステップＳ１０３）。そして、画像処理部２８は、その取り込んだ撮影画像を前述したようなエッジ検出処理等によって画像処理する（ステップＳ１０４）。さらに、画像処理部２８は、その画像処理後の画像に基づいて、撮影画像中に顔画像が有るか否かを判断する（ステップＳ１０５）。画像処理部２８は、顔画像が無いと判断した場合には、顔画像無し信号を画面制御部３０に向けて出力する。画面制御部３０は、その顔画像無し信号が入力した場合には、画面表示部２５に表示されている画像の向きはそのままにする（ステップＳ１０９）。
【００３７】
画像処理部２８は、撮影画像中に顔画像が有ると判断した場合には、さらに、その抽出された顔画像の上向き方向（検知方向）を解析する（ステップＳ１０６）。その後、画像処理部２８は、得られた顔画像の上向き方向Ｌの情報を画面制御部３０に出力する。画面制御部３０は、その顔画像の上向き方向Ｌの情報を受け取ると、その上向き方向Ｌと、画面表示部２５に表示されている画像の上向き方向Ｔとが不一致であるか否かを判断する（ステップＳ１０７）。画面制御部３０は、不一致でないと判断した場合には、表示画面の向きはそのままで画像表示が継続される（ステップＳ１０９）。画面制御部３０は、顔画像の上向き方向Ｌと、表示画像の上向き方向Ｔとが不一致であると判断した場合には、表示画像の上向き方向Ｔが、顔画像の上向き方向Ｌに一致する方向に、画面表示部２５の表示画像の向きを変化させる（ステップＳ１０８）。
【００３８】
この第２実施形態では、上記のように画面表示部２５の表示制御が行われるので、画面表示部２５を見ているユーザーの向きに応じて表示画像の向きが自動制御される。これにより、ユーザーは、携帯端末装置２０を縦向きにしても横向きにしても違和感なく表示画像を見ることができる。その上、この第２実施形態では、連続的にユーザーの向きを監視しているのではなく、携帯端末装置２０の傾きが検知されたときと、電源投入時と、休止状態解除時に、ユーザーの向きを検知する。つまり、画面表示部２５に対するユーザーの向きが変化していることを検知する必要があると想定されるポイント的なタイミングのみ、カメラ２２を作動させて、ユーザーの向きを検知している。このため、連続的にユーザーの向きを監視すべくカメラ２２を動作させている場合に比べて、カメラ２２の動作時間を大幅に低減させることができる。これにより、携帯端末装置２０の消費電力も抑制することができる。また、それにより、携帯端末装置２０のバッテリーの消耗を緩和できる。
【００３９】
（その他の実施形態）
なお、この発明は上記第１や第２の実施形態に限定されるものではなく、様々な実施の形態を採り得るものである。例えば、第２実施形態では、画像処理部２８から顔画像無し信号が出力された場合には、そのまま、表示画像の向きに関する制御動作が終了していた。これに代えて、顔画像無し信号が出力された場合には、次のような制御を行ってもよい。つまり、画像処理部２８は、顔画像無し信号を画面制御部３０に加えると共に、カメラ作動指示部２９にも出力する機能を備える。また、カメラ作動指示部２９は、顔画像無し信号を受けた場合には、所定のタイミング（例えば、顔画像無し信号を受けてから所定時間を経過した時点）で、作動指示信号をカメラ２２に再度出力する顔再検知機能を備える。なお、その作動指示信号の出力時にもカメラ作動通知信号が画像処理部２８および画面制御部３０に加えられる。このような顔再検知機能を備えることによって、次にような効果を得ることができる。すなわち、画面表示部２５に対するユーザーの向きが変化したのにも拘わらず、携帯端末装置２０の傾き検知直後の撮影時にカメラ２２の視野にユーザーが入っていなかったために、ユーザーの向きの変化を検知できないという事態発生を抑制できる。なお、画面制御部３０は、そのカメラ作動通知信号の出力状態に基づいて、その顔再検知機能が所定回数繰り返し行われても、顔画像が抽出されないと判断した場合には、表示画像の向きに関する制御動作を終了させる機能を備えてもよい。
【００４０】
さらに、第２実施形態では、携帯端末装置２０の傾きが検知されたときだけでなく、電源投入時と、休止状態解除時にも、カメラ撮影画像に基づいたユーザーの向きの検知を行っていた。これに代えて、そのユーザーの向きの検知は、電源投入時と休止状態解除時の一方又は両方の場合には行わなくてもよい。そのようにユーザーの向きの検知を行わない場合には、電源投入時や、休止状態解除時には、例えば、画面表示部２５とユーザーとの関係は、図４（ａ）に示すような状態と想定して、画面制御部３０は、表示画像の向きの制御を行う。
【００４１】
さらに、第２実施形態では、顔画像の上向き方向Ｌを検知方向としていた。これに代えて、例えば、顔画像の右向き方向（左目から右目に向かう方向）等の他の方向を検知方向としてもよい。
【００４２】
さらに、第２実施形態では、画像処理部２８は、表示制御装置２６に備えられていたが、これに代えて、画像処理部２８は、表示制御装置２６に含まれないが、携帯端末装置２０の制御部内には設けられている構成としてもよい。
【００４３】
さらに、第２実施形態では、携帯端末装置を例にして説明したが、例えばデジタルカメラ等の撮影装置にも本発明は適用でき、上記同様の効果を得ることができるものである。
【符号の説明】
【００４４】
１，２６  表示制御装置
２，２９  カメラ作動指示部
３，３０  画面制御部
５，２１  表示装置
６，２５  画面表示部
１０，２２  カメラ
１１，２３  傾き検知手段
【図１】
2011138449.tif 000003
【図２】
2011138449.tif 000004
【図３】
2011138449.tif 000005
【図４】
2011138449.tif 000006
【図５】
2011138449.tif 000007
【図６】
2011138449.tif 000008
【図７】
2011138449.tif 000009
【図８】
2011138449.tif 000010
【図９】
2011138449.tif 000011